(57)【要約】【課題】かぶせ改修用として充分な硬さを有する固定具を提供する。【解決手段】固定具１は、細長形状の胴部１１と、胴部の一方の端部に形成される頭部１２と他方の端部に形成される先細形状の先端部１４と、を備える固定具であって、ＪＩＳ規格のＧ３５０５でＳＷＲＭ１５に相当する硬さ以上の硬さを有する軟鋼線材から形成される。従来の固定具より硬く、新規の屋根材及び既存の屋根材を貫通して打ち込むことができ、施工時に途中で曲がる危険性が減少する。【選択図】図１
2019019833.tif 000002
【特許請求の範囲】
【請求項１】
細長形状の胴部と、前記胴部の一方の端部に形成される頭部と他方の端部に形成される先細形状の先端部と、を備える固定具であって、ＪＩＳ規格のＧ３５０５でＳＷＲＭ１５に相当する硬さ以上の硬さを有する軟鋼線材から形成される、固定具。
【請求項２】
前記固定具は、４０ｍｍ以上、５０ｍｍ以下の長さを有する、請求項１に記載の固定具。
【請求項３】
前記固定具の頭部は、７ｍｍ以上の径を有する、請求項１又は２に記載の固定具。
【請求項４】
前記固定具は、エアネイラーで使用できるように、プラシートに搭載可能な大きさで形成される、または、ワイヤーで連結可能に形成される、請求項１から３の何れか一項に記載の固定具。
【発明の詳細な説明】
【技術分野】
【０００１】
本発明は、例えば、屋根材のかぶせ改修において新規屋根材を留め付ける固定具であって、既存屋根材を貫通し新規屋根材を野地板に固定する固定具に関する。
【背景技術】
【０００２】
屋根に敷設された住宅屋根用化粧スレート（既存の屋根材、以下、既存スレート）を改修する際、既存スレートの上に新規の下葺き材が施工され、その後、既存スレートにかぶさるよう新規の屋根材が施工される。このような改修は、かぶせ改修と呼ばれる。新規の屋根材には金属系の部材又はアスファルトシングル等が用いられる。そして、新規の屋根材を固定する際、既存スレートを貫通し、既存スレートの下にある野地板まで到達する釘やビス（固定具）が使用される。特許文献１には、例えば、瓦、屋根、下葺材、ハウスラップ等の基材を固定する際に、使用される釘が開示されている。
【０００３】
しかしながら、かぶせ改修で多く用いられる釘はその硬さが不足しているため、新規の屋根材は貫通するものの既存スレートまで打ち抜くことができない、または途中で曲がってしまう場合があった。そのため施工性が悪く、再度打ち込むと新規の下葺材に形成された釘穴を広げてしまう場合があるため漏水事故が発生する危険性があった。また、打ち込まれた釘が途中で曲がると、野地板まで到達しない場合があり、新規の屋根材が充分に固定されずその耐風性能を損なうこともある。
【０００４】
一方、コンクリートネイル等、既存の釘でも、硬い線材を用いたものがある。しかしながら、硬い材料を用いた場合、製造上、釘の頭部の径が小さくなり、アスファルトシングル等の新規の屋根材が充分に固定されず、充分な耐風性能を得ることが難しい。
【先行技術文献】
【特許文献】
【０００５】
【特許文献１】特開平７−６３２０７号公報
【発明の概要】
【発明が解決しようとする課題】
【０００６】
例えば住宅屋根用化粧スレートからなる既存の屋根材のかぶせ改修用として、充分な硬さを有する固定具が望まれている。
【課題を解決するための手段】
【０００７】
上記課題を解決するために、細長形状の胴部と、前記胴部の一方の端部に形成される頭部と他方の端部に形成される先細形状の先端部とを備える固定具であって、ＪＩＳ規格のＧ３５０５でＳＷＲＭ１５に相当する硬さ以上の硬さを有する軟鋼線材から形成される、固定具が提供される。
【発明の効果】
【０００８】
本発明に係る固定具は、既存スレートである住宅屋根用化粧スレートのかぶせ改修用として充分な硬さを有していることから、従来のものと比較して確実に既存スレートまで打ち抜くことができ、また、施工時に途中で曲がる危険性が減少する。
【図面の簡単な説明】
【０００９】
【図１】開示する釘を示す側面図である。
【図２】開示する釘を用いて、新規の屋根材を既存の屋根材の上に固定した状態を示す断面図である。
【図３】開示する釘をエアネイラー用のプラシートで連結した状態を示す側面図である。
【図４】開示する釘をエアネイラー用のワイヤーで連結した状態を示す側面図である。
【発明を実施するための形態】
【００１０】
以下、添付の図面に基づいて、本実施形態である、固定具について説明する。
【００１１】
図１に本実施形態の固定具の一例である釘１を示す。釘１は、図１に示すように細長の胴部１１と、胴部１１の一方の端部に形成された平頭フラットの頭部１２と、胴部１１の他方の端部に形成された先細形状の先端部１４を備える。また、釘１は、ＪＩＳ規格のＧ３５０５でＳＷＲＭ１５に相当する硬さ以上の硬さを有する軟鋼線材から作製される。ＳＷＲＭ１５は、成分のうち炭素量が０．１３から０．１８％である軟鋼の線材であり、ＪＩＳで規定される８種類の軟鋼線材のうちの一つである。
【００１２】
図２に、本実施形態の釘１を用いて改修された屋根３の断面図を示す。屋根３では、野地板３１に敷かれた下葺き材３２に、既存の屋根材である住宅屋根用化粧スレート（既存スレート３３）が敷設されている。既存スレート３３のそれぞれは、既存の釘３６により既存の下葺き材３２を貫通して野地板３１に固定されている。そして、改修のため、既存スレート３３上に新規の下葺き材３４が敷かれ、さらに、新規の下葺き材３４の上に新規の屋根材であるアスファルトシングル３５が、本実施形態の釘１を用いて固定される。
【００１３】
図２に示されるように、釘１は、アスファルトシングル３５を固定するためには、アスファルトシングル３５及び新規の下葺き材３４だけでなく、既存スレート３３及び既存の下葺き材３２も貫通して、野地板３１に達することが望ましい。しかしながら、従来の釘を用いると、柔らかいため、打ち込んでも既存スレート３３に入らなかったり、途中で曲がったりして野地板３１に達しない場合があった。その場合、打ち直しをすることから、例えば新規の下葺き材３４に形成された釘の穴が広がってしまう、又は、釘穴が釘で埋められないため、新規の下葺き材３４の防水性能を損なってしまう可能性があった。なお、既存の釘３６は、例えばＪＩＳ規格のＧ３５０５でＳＷＲＭ６程度の硬さの軟鋼線材から作製されている。
【００１４】
そのため、発明者らは、実験を重ね、かぶせ改修でアスファルトシングル３５を固定するために充分な強度を有する釘の検討を行った。実験では、野地板１２ｍｍ合板の上に、既存の下葺き材３２、住宅屋根用化粧スレート（既存スレート３３）、新規の下葺き材３４、アスファルトシングル３５を順に重ね、実験用の屋根を形成し、表１に示す釘をエアネイラーの空気圧を変更して打ち込んだ。それぞれを２０本ずつ、実験用の屋根に打込んだ結果を表２に示す。
【００１５】
【表１】
2019019833.tif 000003
【００１６】
【表２】
2019019833.tif 000004
【００１７】
現行のくぎでは、常圧タイプだと２０本中５本のみが問題なく打ち込むことができた。一方、４０ｍｍの長さの釘Ｂ及び５０ｍｍの長さの釘Ｃでは、頭が浮いた状態又は曲がってしまった。一方、高圧タイプとすると、２０本中１４本、２０本中７本が問題なく打ち込むことができた。釘を高圧で打込み、さらに釘の長さＬは短い方（４０ｍｍ）がよいことが分かる。
【００１８】
さらに、コンクリート用の釘である釘Ｄ、釘Ｅを用いた場合は、全ての釘で問題なく打ち込むことができた。ある程度の硬さを有する釘であれば充分に打ち込むことが可能である。しかしながら、コンクリート用の釘は、ＪＩＳ  Ｇ  ３５０６硬鋼線材等の硬い材料を用いており、その材質の硬さから頭部の径を大きくすることが難しい。そのため、アスファルトシングル等の新規の屋根材では充分な耐風性能を得ることが困難である。
【００１９】
そこで、発明者らは釘を、ＪＩＳ規格のＧ３５０５でＳＷＲＭ１５に相当する硬さを有する軟鋼線材から作製し、同様の実験を行った。その結果、２０本全ての釘で頭が浮いた状態は無く、また、すべて途中で曲がることはなく野地板まで貫通していることが確認された。そのため、線材はＳＷＲＭ１５以上の硬さが必要であり、長さＬも４０ｍｍ以上、５０ｍｍ以下であれば問題が無いことが確認された。また、頭径Ｄを７.０ｍｍ以上とすればアスファルトシングル３５を、充分な耐風性能を維持したまま、既存スレート３３に固定できることが確認された。
【００２０】
そこで、本実施形態の釘１は、その長さＬを４０〜５０ｍｍとし、頭径Ｄを７．０ｍｍとしている。この釘１の大きさは、図３及び図４に示されるように、エアネイラーに搭載できるよう、プラシートの一例であるポリエチレンシート２、又はワイヤー２１により複数個、連結可能な大きさ及び形状である。
【００２１】
本実施形態の釘１を、手打ち用として用いることも可能である。その場合、釘１を傘釘形状（ワッシャーを付け、その後リング加工・めっき処理）にすることで、頭径Ｄをワッシャー分大きくすることができ、エアネイラーを用いた場合と比較して、施工本数を減らすことができる。
【００２２】
図１に示されるように、釘１は、胴部１１の全体にリング部分１５が設けられてもよい。また、釘１には、胴部１１の一部にリング部分１５が設けられてもよい。また、釘１はスクリューやハーブなどであってもよい。
【００２３】
以上、本出願を特にその好ましい実施の形態を参照して詳細に説明した。本発明に係る固定具を用いれば、かぶせ改修をする際、固定具の打込みが失敗する危険性が減少し、改修作業の効率化、及び工期の短縮化につながる。
【符号の説明】
【００２４】
１    釘（固定具）
１１    胴部
１２    頭部
１４    先端部
１５    リング部分
２    ポリエチレンシート（プラシート）
２１    ワイヤー
３    屋根
３１    野地板
３２    既存の下葺き材
３３    既存スレート（既存の屋根材）
３４    新規の下葺き材
３５    アスファルトシングル（新規の屋根材）
３６    既存の釘
【図１】
2019019833.tif 000005
【図２】
2019019833.tif 000006
【図３】
2019019833.tif 000007
【図４】
2019019833.tif 000008